(57)【要約】      （修正有）【課題】十分な遠赤外線効果を得る温熱浴用ユニットを提供する。【解決手段】温熱浴用ユニット１は、壁部２と床部４を具え、壁部２と床部４は加熱により遠赤外線を発する石材から形成されたパネルと、パネルを加熱するヒータユニットを具えている。壁部２に囲まれて床部４上に形成される空間１１内には、遠赤外線を発する石材の粉又は砂からなる層が配備される。壁部２で囲まれた空間１１には、蓋部８が被さり、蓋部８内にヒータユニットが配備され、壁部２とヒータユニットの間にパネルを設けた板材が配備される。【選択図】図１
0003164009.tif 000002
【実用新案登録請求の範囲】
【請求項１】
壁部(２)と床部(４)を具え、壁部(２)と床部(４)は加熱により遠赤外線を発する石材から形成されたパネル(３)と、該パネル(３)を加熱するヒータユニット(５)を具え、壁部(２)に囲まれて床部(４)上に形成される空間内には、該遠赤外線を発する石材の粉又は砂からなる層(７)が配備されることを特徴とする温熱浴用ユニット。
【請求項２】
遠赤外線を発する石材は、麦飯石、トルマリンを含む発生石、ラジウム鉱石、ゲルマニウム鉱石を含む機能性石粒、または、これらの混合物である、請求項１に記載の温熱浴用ユニット。
【請求項３】
壁部(２)で囲まれた空間には、蓋部(８)が被さり、蓋部(８)内にヒータユニット(５)が配備され、壁部(２)とヒータユニット(５)の間にパネル(３)を設けた板材(90)が配備される、請求項１又は２に記載の温熱浴用ユニット。
【請求項４】
床部(４)の内側に配備されたパネル(３)の上面は凹凸状に形成された、請求項１乃至３の何れかに記載の温熱浴用ユニット。
【請求項５】
パネル(３)は長尺板状であって、横方向に沿って複数枚設けられた、請求項１乃至４の何れかに記載の温熱浴用ユニット。
【請求項６】
少なくとも一対のパネル(３)は互いに対向している、請求項１乃至５の何れかに記載の温熱浴用ユニット。
【考案の詳細な説明】
【技術分野】
【０００１】
本考案は、麦飯石を用いて遠赤外線を発生させる温熱浴用ユニットに関する。
【背景技術】
【０００２】
従来の麦飯石を用いた温熱浴用ユニット(１)としては、図８に示すものがある(特許文献１参照)。これは部屋(６)の床に、麦飯石等の機能性天然石からなる表層部(60)を具え、該表層部(60)を下側からヒータ(61)で加熱するものである。ヒータ(61)の下側には断熱材(62)が設けられている。
部屋(６)に使用者が入った状態で、ヒータ(61)によって表層部(60)が加熱される。表層部(60)が麦飯石から構成されている場合は、麦飯石が加熱されることにより活性化し、遠赤外線を放射する。遠赤外線効果が発揮されて、部屋(６)内の使用者の体が温められ、発汗作用を促したり、肩こり、腰痛を和らげ、血行を良くすることができる。
【先行技術文献】
【特許文献】
【０００３】
【特許文献１】登録実用新案第３１２１５４２号公報
【考案の概要】
【考案が解決しようとする課題】
【０００４】
麦飯石は、砂状又は粉状にして利用されることもある。出願人は部屋内に麦飯石の砂又は粉を敷き、所謂砂風呂の形式にすれば、更に温浴効果が得られることを着想した。
本考案は、更なる遠赤外線効果を得る温熱浴用ユニットを提供することにある。
【課題を解決するための手段】
【０００５】
温熱浴用ユニットは、壁部(２)と床部(４)を具え、壁部(２)と床部(４)は加熱により遠赤外線を発する石材から形成されたパネル(３)と、該パネル(３)を加熱するヒータユニット(５)を具え、壁部(２)に囲まれて床部(４)上に形成される空間内には、該遠赤外線を発する石材の粉又は砂からなる層(７)が配備される。
【考案の効果】
【０００６】
本願の温熱浴用ユニット(１)にあっては、遠赤外線を発する石材、具体的には麦飯石から形成されたパネル(３)と該パネル(３)を加熱するヒータユニット(５)が壁部(２)と床部(４)に配備されている。また、壁部(２)に囲まれて床部(４)上に形成される空間内には、該遠赤外線を発する石材の粉又は砂からなる層(７)が配備される。
温熱浴用ユニット(１)に入った使用者は、壁部(２)又は床部(４)のパネル(３)が加熱されて放出される遠赤外線と、粉又は砂からなる層(７)が加熱されることによって放出される遠赤外線の両方を浴びる。これにより、使用者に放射される遠赤外線効果を高めることができる。
【図面の簡単な説明】
【０００７】
【図１】温熱浴用ユニットを示す斜視図である。
【図２】壁部の斜視図である。
【図３】上面カバーを除去した蓋部の斜視図である。
【図４】箱体上に載置された枠体の斜視図である。
【図５】壁部の一部を除去した箱体の斜視図である。
【図６】図５から上側の床板を除去した斜視図である。
【図７】箱体の断面図である。
【図８】従来の温熱浴用ユニットの正面断面図である。
【考案を実施するための形態】
【０００８】
以下、本考案の一実施例を図を用いて、説明する。
図１は、本例に係わる温熱浴用ユニット(１)を示す斜視図である。温熱浴用ユニット(１)は、床部(４)上に矩形状の空間(11)を囲む壁部(２)を設けた箱体(10)を具え、使用者１人が入ることができる大きさである。箱体(10)の周縁には枠体(９)が被さり、該枠体(９)上に蓋部(８)が被さる。蓋部(８)は枠体(９)の右端に合わさって、枠体(９)の一部を覆わない。該覆わない箇所から使用者の顔面が露出する。
図２は、壁部(２)の斜視図である。壁部(２)は、２枚の壁板(20)(20)をスペーサ(21)を挟んで対向させて、幅方向中央に空隙(22)を形成した壁体(23)を４枚連ねて形成され、該空隙(22)内に複数枚のヒータユニット(５)が挿入される。内側の壁板(20)の内面全周には、加熱により遠赤外線を発する石材から形成された複数枚のパネル(３)が取り付けられている。パネル(３)は長手方向を上下に向けた板状に形成され、パネル(３)は壁板(20)に埋め込まれても、壁板(20)内面から突出してもよい。
パネル(３)を構成する石材は、具体的には麦飯石であり、麦飯石とは、無水珪酸と酸化アルミナとを主成分とする火成岩類中の石英斑岩に属する多孔質の石材である。
【０００９】
図１に示す蓋部(８)には、断熱性の上面カバー(85)が被さり、図３は、上面カバー(85)を除去した蓋部(８)の斜視図であり、図４は、箱体(10)上に載置された枠体(９)の斜視図である。枠体(９)内には、下面に複数枚のパネル(３)(３)が並んで取り付けられた板材(90)が配備される。蓋部(８)は４本の囲み片(80)(80)を連ねて矩形を囲むように形成され、右端の囲み片(80a)が隣接する囲み片(80)に対し着脱可能に設けられる。該囲み片(80a)を外して、外側からヒータユニット(５)が板材(90)上をスライドして取り付けられる。
枠体(９)には、壁部(２)の空間(11)と空気の流通が可能な開口(91)が形成され、ヒータユニット(５)は板材(90)のパネル(３)を加熱するとともに、ヒータユニット(５)によって熱せられた空気は空間(11)内に入ることができる。
【００１０】
図５は、壁部(２)の一部を除去した箱体(10)の斜視図であり、図示の便宜上、パネル(３)を省く。床部(４)は２枚の床板(40)(40)をスペーサ(41)(41)を挟んで対向させ、上側の床板(40)の上面にパネル(３)が設けられる。床板(40)(40)間に形成される空間は、空間(11)に繋がる。
図６は、図５から上側の床板(40)を除去した斜視図であるが、スペーサ(41)(41)によって囲まれた空間(42)内に複数のヒータユニット(５)が配備される。ヒータユニット(５)は電熱線を内蔵したものでも、湯を通すタイプでもよい。
図７は、箱体(10)の断面図であり、上側の床板(40)上の空間(11)内には、遠赤外線を発する石材、具体的には麦飯石の粉又は砂からなる層(７)が配備される。
【００１１】
使用者は蓋部(８)を開けて、箱体(10)内の層(７)に身を沈める。壁部(２)、床部(４)、蓋部(８)内のヒータユニット(５)にてパネル(３)及び層(７)を加熱する。
パネル(３)及び層(７)を形成する麦飯石は、摂氏４０−６０度で最も活性化することが知られており、活性化されたパネル(３)及び層(７)から遠赤外線が放出される。温熱浴用ユニット(１)内の使用者はパネル(３)及び層(７)に囲まれているから、周囲から遠赤外線を受ける。
本例にあっては、使用者は、壁部(２)又は床部(４)のパネル(３)が加熱されて放出される遠赤外線と、粉又は砂からなる層(７)が加熱されることによって放出される遠赤外線の両方を浴びる。これにより、使用者に放射される遠赤外線効果を高めることができる。
【００１２】
遠赤外線効果が発揮されて、使用者の体が周囲から温められ、大量の発汗によって血液循環や新陳代謝が著しく促進される。これにより、至極優れたストレス解消や体毒排泄を実現し、体脂肪の減少や浮腫みの解消、更に冷え性の改善、肌の若返り、肩凝りや腰痛、リウマチの軽減といった健康・美容効果が得られる。
また、一般に人体は体温が３６度以上ではガン等を発症しにくいと言われ、遠赤外線により体を温め続けることにより、ガン等を予防する効果もあると推察できる。
パネル(３)は、対向するパネルから発せられた遠赤外線を吸着する効果もあり、温熱浴用ユニット(１)内の使用者には一層の遠赤外線が照射される。
また、対向するパネル間にて遠赤外線のエネルギーが循環し、該遠赤外線のエネルギーが長持ちするとの利点もある。
麦飯石には、吸着作用があることが知られているので、使用者の体に付着している粉末状の麦飯石は、体から排出される垢や老廃物を付着することができる。また、麦飯石は天然物であるから、環境汚染などの問題もなく、使用後の処理が容易である。
【００１３】
パネル(３)は基本的に表面が平坦であるが、床板(40)に設けられるパネル(３)では表面に凹凸を形成することにより、使用者の身体をツボ押しする効果がある。これにより、血流を改善することができる。
箱体(10)の材質は、木材、金属、樹脂等種類を問わないが、長時間人間の体に触れることから、木材が適している。出願人は木材として、檜を考えているが、その他の木材でもよい。箱体(10)は内寸１８０ｃｍ×４８ｃｍ×４０ｃｍであり、壁板(20)及び床板(40)の厚みを約２ｃｍに想定しているが、これに限定されない。蓋部(８)、床部(４)、壁部(２)の両側には３０ｃｍごとにヒータユニット(５)が６個ずつ、使用者の頭と足先に対向する壁部(２)にはヒータユニット(５)が１個ずつ配備され、即ち合計２６個のヒータユニット(５)が配備される。各ヒータユニット(５)は、使用者の頭、肩、腰、股、ふくらはぎを暖めることができる。箱体(10)は身長が１６５−１７５ｃｍ程度の使用者を想定して設計されているが、この身長に限定されない。
【００１４】
本例では、パネル(３)は麦飯石から形成されるとしたが、トルマリンなどの発生石、ラジウム鉱石、ゲルマニウム鉱石等の機能性石粒から形成されてもよい。または、これらの混合物でもよい。
また、温熱浴用ユニット(１)内に入る使用者は、衣服を着ていても良いが、遠赤外線効果を実行あらしめるには、薄手の服、例えば浴衣、バスロープが望ましい。また、上面カバー(85)を外して使用してもよい。
【００１５】
上記実施例の説明は、本考案を説明するためのものであって、実用新案登録請求の範囲に記載の考案を限定し、或は範囲を減縮する様に解すべきではない。又、本考案の各部構成は上記実施例に限らず、実用新案登録請求の範囲に記載の技術的範囲内で種々の変形が可能であることは勿論である。
【符号の説明】
【００１６】
(１)  温熱浴用ユニット
(２)  壁部
(３)  パネル
(４)  床部
(５)  ヒータユニット
(８)  蓋部
【図１】
0003164009.tif 000003
【図２】
0003164009.tif 000004
【図３】
0003164009.tif 000005
【図４】
0003164009.tif 000006
【図５】
0003164009.tif 000007
【図６】
0003164009.tif 000008
【図７】
0003164009.tif 000009
【図８】
0003164009.tif 000010